【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  冷蔵庫本体に設けられ食品を−１８℃以下に凍結保存する冷凍室と、前記冷凍室とは別の貯蔵室に設けられ−１℃乃至−５℃の最大結晶生成帯を避けこの最大結晶生成帯の温度より低い温度で且つ−１５℃より上の温度にて前記食品を凍結させて保存する新温度帯冷凍室と、前記新温度帯冷凍室の温度設定を前記最大結晶生成帯に近い高い温度であって、前記食品を解凍無しに包丁や人間の手等で小分けができる程度の凍結状態に凍結させる特定の温度に温度設定する温度設定手段と、前記冷凍室へ冷気を供給する風路とは異なる風路であって、前記温度設定手段にて温度設定した前記特定の温度に維持する前記新温度帯冷凍室への冷気吹出し量制御を行うダンパーにて制御された冷気を前記新温度帯冷凍室へ吹出し前記食品が解凍無しに小分けできる程度の前記凍結状態に保存させる際温度分布を良くするように複数設けられた前記新温度帯室への風路と、を備えたことを特徴とする冷凍冷蔵庫。
【請求項２】  前記新温度帯冷凍室ヘ冷気を供給する風路は少なくとも前記新温度帯冷凍室の側面部に設けられることを特徴とする請求項１記載の冷凍冷蔵庫。
【請求項３】  前記温度設定手段にて温度設定した前記特定の温度に対しダンパー制御が行われる温度検出手段の検出する温度は前記新温度帯冷凍室を設定温度を含む安定した温度に制御できる範囲であることを特徴とする請求項１記載の冷凍冷蔵庫。【請求項４】  前記温度設定手段にて設定する前記新温度帯冷凍室の温度設定値は連続的に切換え可能であることを特徴とする請求項１記載の冷凍冷蔵庫。
【手続補正２】
【補正対象書類名】明細書
【補正対象項目名】００１３
【補正方法】変更
【補正の内容】
【００１３】
【課題を解決するための手段】
この発明に係る冷凍冷蔵庫は、冷蔵庫本体に設けられ食品を−１８℃以下に凍結保存する冷凍室と、冷凍室とは別の貯蔵室に設けられ−１℃乃至−５℃の最大結晶生成帯を避けこの最大結晶生成帯の温度より低い温度で且つ−１５℃より上の温度にて食品を凍結させて保存する新温度帯冷凍室と、新温度帯冷凍室の温度設定を前記最大結晶生成帯に近い高い温度であって、前記食品を解凍無しに包丁や人間の手等で小分けができる程度の凍結状態に凍結させる特定の温度に温度設定する温度設定手段と、冷凍室へ冷気を供給する風路とは異なる風路であって、温度設定手段にて温度設定した特定の温度に維持する新温度帯冷凍室への冷気吹出し量制御を行うダンパーにて制御された冷気を新温度帯冷凍室へ吹出し食品が解凍無しに小分けできる程度の凍結状態に保存させる際温度分布を良くするように複数設けられた新温度帯室への風路と、を備えたものである。
【手続補正３】
【補正対象書類名】明細書
【補正対象項目名】００１４
【補正方法】変更
【補正の内容】
【００１４】
この発明に係る冷凍冷蔵庫の新温度帯冷凍室へ冷気を供給する風路は少なくとも新温度帯冷凍室の側面部に設けられる。
【手続補正４】
【補正対象書類名】明細書
【補正対象項目名】００１５
【補正方法】変更
【補正の内容】
【００１５】
この発明に係る冷凍冷蔵庫の温度設定手段にて温度設定した特定の温度に対しダンパー制御が行われる温度検出手段の検出する温度は前記新温度帯冷凍室を設定温度を含む安定した温度に制御できる範囲である。
【手続補正５】
【補正対象書類名】明細書
【補正対象項目名】００１６
【補正方法】変更
【補正の内容】
【００１６】
この発明に係る冷凍冷蔵庫の温度設定手段にて設定する新温度帯冷凍室の温度設定値は連続的に切換え可能である。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００６２
【補正方法】変更
【補正の内容】
【００６２】
【発明の効果】
この発明に係る冷凍冷蔵庫は、冷蔵庫本体に設けられ食品を−１８℃以下に凍結保存する冷凍室と、冷凍室とは別の貯蔵室に設けられ−１℃乃至−５℃の最大結晶生成帯を避けこの最大結晶生成帯の温度より低い温度で且つ−１５℃より上の温度にて食品を凍結させて保存する新温度帯冷凍室と、新温度帯冷凍室の温度設定を最大結晶生成帯に近い高い温度であって、食品を解凍無しに包丁や人間の手等で小分けができる程度の凍結状態に凍結させる特定の温度に温度設定する温度設定手段と、冷凍室へ冷気を供給する風路とは異なる風路であって、温度設定手段にて温度設定した特定の温度に維持する新温度帯冷凍室への冷気吹出し量制御を行うダンパーにて制御された冷気を新温度帯冷凍室へ吹出し食品が解凍無しに小分けできる程度の凍結状態に保存させる際温度分布を良くするように複数設けられた新温度帯室への風路と、を備えたので、新温度帯室は氷温室に保存した食品よりも長期間保存が可能となると共に料理の手間が省け使い易い特定温度が安定して得られる。
【手続補正１８】
【補正対象書類名】明細書
【補正対象項目名】００６３
【補正方法】変更
【補正の内容】
【００６３】
この発明に係る冷凍冷蔵庫の新温度帯冷凍室へ冷気を供給する風路は少なくとも新温度帯冷凍室の側面部に設けられるので、温度分布の良い安定した温度の貯蔵室を得ることが出来る。
【手続補正１９】
【補正対象書類名】明細書
【補正対象項目名】００６４
【補正方法】変更
【補正の内容】
【００６４】
この発明に係る冷凍冷蔵庫の温度設定手段にて温度設定した特定の温度に対しダンパー制御が行われる温度検出手段の検出する温度は新温度帯冷凍室を設定温度を含む安定した温度に制御できる範囲であるので、食品を安定した温度状態で貯蔵できる貯蔵室を得ることが出来る。
【手続補正２０】
【補正対象書類名】明細書
【補正対象項目名】００６５
【補正方法】変更
【補正の内容】
【００６５】
この発明に係る冷凍冷蔵庫の温度設定手段にて設定する新温度帯冷凍室の温度設定値は連続的に切換え可能であるので、食品をより良い状態で冷凍保存することが出来る。
【手続補正２１】
【補正対象書類名】明細書
【補正対象項目名】００６６
【補正方法】削除
【補正の内容】
【手続補正２２】
【補正対象書類名】明細書
【補正対象項目名】００６７
【補正方法】削除
【補正の内容】
【手続補正２３】
【補正対象書類名】明細書
【補正対象項目名】００６８
【補正方法】削除
【補正の内容】
【手続補正２４】
【補正対象書類名】明細書
【補正対象項目名】００６９
【補正方法】削除
【補正の内容】
【手続補正２５】
【補正対象書類名】明細書
【補正対象項目名】００７０
【補正方法】削除
【補正の内容】
【手続補正２６】
【補正対象書類名】明細書
【補正対象項目名】００７１
【補正方法】削除
【補正の内容】
【手続補正２７】
【補正対象書類名】明細書
【補正対象項目名】００７２
【補正方法】削除
【補正の内容】
【手続補正２８】
【補正対象書類名】明細書
【補正対象項目名】００７３
【補正方法】削除
【補正の内容】
【手続補正２９】
【補正対象書類名】明細書
【補正対象項目名】００７４
【補正方法】削除
【補正の内容】
【手続補正３０】
【補正対象書類名】明細書
【補正対象項目名】００７５
【補正方法】削除
【補正の内容】
【手続補正３１】
【補正対象書類名】明細書
【補正対象項目名】００７６
【補正方法】削除
【補正の内容】